(57)【要約】【課題】簡素な構成で、災害発生時に予約録画機能を停止させることで、消費電力を抑える携帯通信端末を提供する。【解決手段】本発明の携帯通信端末（Ａ）は、災害情報として災害開始を示す情報を取得したとき、録画予約管理部（１）の予約情報記憶部（１１）から予約情報（１１ａ）を削除する。【選択図】図１
2014123920.tif 000002
【特許請求の範囲】
【請求項１】
電力源として２次電池を使用し、放送番組の予約録画機能を有する通信端末であって、
上記予約録画機能を予約情報に応じて実行させる録画制御部と、
上記予約情報を格納し、格納している予約情報を上記録画制御部に提供する録画予約管理部と、
災害情報を取得する災害情報取得部とを備え、
上記録画予約管理部は、
上記災害情報取得部が取得した災害情報が災害発生を示す情報であるとき、格納している予約情報をキャンセルすることを特徴とする通信端末。
【請求項２】
上記録画予約管理部は、
上記録画制御部へ提供する予約情報を格納する予約情報格納部を備え、
上記災害情報取得部が取得した災害情報が災害発生を示す情報であるとき、上記予約情報格納部に格納された予約情報を削除することを特徴とする請求項１に記載の通信端末。
【請求項３】
上記録画予約管理部は、
上記録画制御部へ提供する予約情報を格納する予約情報格納部と、
上記災害情報取得部が取得した災害情報が災害発生を示す情報であるとき、上記予約情報格納部に格納された予約情報を、キャンセル情報として格納するキャンセル情報格納部とを備えていることを特徴とする請求項１または２に記載の通信端末。
【請求項４】
上記記録画予約管理部は、キャンセルした予約情報を復帰させることを特徴とする請求項１〜３の何れか１項に記載の通信端末。
【請求項５】
電力源として２次電池を使用し、予約情報に応じて、放送番組の予約録画機能を実行する通信端末における録画予約管理方法であって、
災害発生を示す災害情報を取得したとき、上記予約録画機能の実行を停止することを特徴とする録画予約管理方法。
【発明の詳細な説明】
【技術分野】
【０００１】
本発明は、電力源として２次電池を使用し、放送番組の予約録画機能を備えた通信端末に関する。
【背景技術】
【０００２】
一般に、電力源として２次電池を使用し、放送番組の予約録画機能を備えたスマートフォン等の通信端末では、２次電池の容量に限りがあるため、消費電力を削減する必要がある。特許文献１には、予約録画機能によって消費される電力の削減を図る技術が開示されている。
【先行技術文献】
【特許文献】
【０００３】
【特許文献１】特開２００５−１１７４０２号公報（２００５年０４月２８日公開）
【発明の概要】
【発明が解決しようとする課題】
【０００４】
通常、通信端末の２次電池の容量が少なくなれば、充電を行えばよい。しかしながら、災害時等の充電を行うことが困難な状態であれば、通信端末の稼働時間をできるだけ長くするために消費電力をできるだけ少なくする必要がある。
【０００５】
しかしながら、特許文献１に開示された技術では、予約録画をする番組の放送枠中のみ録画装置が作動することで、装置の省電力化を図っているだけなので、災害発生時のような２次電池の充電を行うのが困難な状況において、ユーザが意図しないタイミングで予約録画機能が働き、無駄な電力が消費される虞がある。
【０００６】
本発明は、上記の課題に鑑みなされたものであり、その目的は、２次電池の充電を行うのが困難な状態において、ユーザが意図しないタイミングで録画機能が働くことによる電力消費を無くして、稼働時間をできるだけ長くできる通信端末を提供することにある。
【課題を解決するための手段】
【０００７】
上記の課題を解決するために、本発明の一態様に係る通信端末は、電力源として２次電池を使用し、放送番組の予約録画機能を有する通信端末であって、上記予約録画機能を予約情報に応じて実行させる録画制御部と、上記予約情報を格納し、格納している予約情報を上記録画制御部に提供する録画予約管理部と、災害情報を取得する災害情報取得部とを備え、上記録画予約管理部は、上記災害情報取得部が取得した災害情報が災害発生を示す情報であるとき、格納している予約情報をキャンセルすることを特徴としている。
【０００８】
上記の課題を解決するために、本発明の一態様に係る録画予約管理方法は、電力源として２次電池を使用し、予約情報に応じて、放送番組の予約録画機能を実行する通信端末における録画予約管理方法であって、災害発生を示す災害情報を取得したとき、上記予約録画機能の実行を停止することを特徴としている。
【発明の効果】
【０００９】
本発明の一態様によれば、録画予約管理部によって、災害発生を示す情報を取得したとき、管理している予約情報がキャンセルされることで、録画制御部が予約情報に応じた予約録画機能を実行させることができないことになる。つまり、災害発生時のような２次電池の充電を行うのが困難な状況において、ユーザが意図しないタイミングで予約録画機能が働くことがない。従って、ユーザが意図しないタイミングで予約録画機能が作動することに起因する消費電力を抑えることができ、通信端末の稼働時間を長くできるという効果を奏する。
【図面の簡単な説明】
【００１０】
【図１】本発明の実施形態１に係る携帯通信端末の概略構成ブロック図である。
【図２】図１に示す携帯通信端末における、表示部の画面例を示す図である。
【図３】図１に示す携帯通信端末における、災害開始を検出する流れを示すフローチャートである。
【図４】図１に示す携帯通信端末における、予約録画を実行する流れを示すフローチャートである。
【図５】図１に示す携帯通信端末における、手動予約復帰を実行する流れを示すフローチャートである。
【図６】図１に示す携帯通信端末における、災害終了検出時に予約を自動復帰させる流れを示すフローチャートである。
【図７】本発明の変形例に係る携帯通信端末の概略構成ブロック図である。
【発明を実施するための形態】
【００１１】
〔実施形態１〕
本発明の一実施形態について説明すれば以下の通りである。なお、本実施の形態では、本発明の電力源として２次電池を使用し、放送番組の予約録画機能を備えた通信端末として、ワンセグ放送受像部を備えた携帯通信端末（例えばスマートフォン）を想定する。
【００１２】
＜携帯通信端末Ａの構成＞
図１は、本実施の形態に係る携帯通信端末Ａの概略構成ブロック図である。上記携帯通信端末Ａは、ワンセグ放送波受像部２により放送番組を受像する通信端末であって、録画予約管理部１、無線通信部（災害情報取得部）３、表示部４、入力手段５、録画制御部６、内部メモリ７、外部メモリ８を備える。ここで、本発明では、地震、津波、台風、大規模な火災等を災害と想定して説明する。
【００１３】
録画予約管理部１は、放送番組の予約情報を管理するものであって、上記録画制御部６に予約録画機能を実行させるための予約情報１１ａ、・・・・を格納する予約情報記憶部１１と、予約情報記憶部１１からキャンセルされた予約情報１１ａをキャンセル情報として格納するキャンセル情報記憶部１２とを備えている。また、上記記録画予約管理部は、キャンセルした予約情報１１ａを復帰させる予約情報復帰部として機能する。
【００１４】
ワンセグ放送波受像部２は、放送番組としてのワンセグ放送を受信するためのワンセグチューナー２１と、ワンセグチューナー２１が受信したワンセグ放送を復号化するデコーダー２２とを備えている。復号化されたデータは、表示部４にて受像映像として表示される。
【００１５】
無線通信部３は、災害情報取得部であり、エリアメールを受信できる方式（ＣＢＳ（Cell Broadcast Service））方式または、ＥＴＷＳ（Earthquake and Tsunami Warning System）方式、通常のメール受信方式（３Ｇ通信方式）の何れかによって、災害開始（災害発生）または災害終了（災害終息）を示す災害情報を含む外部からの情報をメールとして取得するためのメール受信部３１と、メール受信部３１が受信したメールから、災害開始および災害終了を示す災害情報を含むメールを検出する災害開始／終了検出部３２とを備えている。上記災害開始／終了検出部３２は、災害開始および災害終了を示す災害情報を含むメールを検出した場合、録画予約管理部１に災害開始または災害終了を通知するようになっている。なお、災害情報の取得には、無線通信部３による無線通信を用いる方法に限定されず、有線通信（固定電話網、インターネット等）を用いてもよい。
【００１６】
表示部４は、ワンセグ放送やメールを表示する他に、本実施形態では、図２に示すように、表示部４の表示画面４ａをタッチパネルで構成することによりユーザインターフェースとして機能させている。また、入力手段５は、ユーザによる録画予約などの操作を受け付ける手段であって、本実施の形態では表示画面４ａに対して操作を行う対象であり、具体的には、ユーザの指、手、ペン等があげられる。また、入力手段５は、キーボードなどの物理的な入力キーであってもよい。
【００１７】
録画制御部６は、上記ワンセグ放送波受像部２により受像した放送番組を、上記録画予約管理部１によって管理された予約情報に応じて予約録画機能を実行させ、記憶部（内部メモリ７、外部メモリ８等）に放送番組の録画を行うようになっている。内部メモリ７は、例えば本携帯通信端末Ａに内蔵されたフラッシュメモリからなる。また、外部メモリ８は、例えばＳＤメモリカードのように、携帯通信端末Ａに着脱可能なメモリからなる。
【００１８】
上記構成の携帯通信端末Ａで実行される処理は、大きく分けて、４つの処理からなる。図３に示す災害開始検出時のフロー、図４に示す予約録画実行のフロー、図５に示す手動予約復帰のフロー、図６に示す災害終了検出による予約復帰のフローからなる。
【００１９】
上記４つのフローを実施することにより、災害開始検出時に録画予約されていた予約情報１１ａのキャンセルを行い、さらにキャンセルしたことをユーザ通知することができる。また、キャンセルしたことをキャンセル情報記憶部１２に記憶しておくことで、ユーザが手動で予約情報を復帰させる、もしくは、災害が終了した後、自動で予約情報１１ａを復帰させることができる。上記４つのフローについて以下に説明する。
【００２０】
＜災害検出時のフロー＞
災害開始検出時に録画予約をキャンセルする流れについて、図３のフローチャートを参照しながら以下に説明する。
【００２１】
まず、メール受信部３１は、メールを受信し、災害開始／終了検出部３２に送る（Ｓ３１）。次に、災害開始／終了検出部３２は、メール受信部３１が受信したメールが災害開始のメールにあたるかを判定し、災害開始を検出する（Ｓ３２）。ここで、災害開始にあたらない場合、Ｓ３１へと戻る。そして、災害開始にあたる場合、無線通信部３は録画予約管理部１に災害開始を通知する（Ｓ３３）。
【００２２】
次に、録画予約管理部１は、無線通信部３から取得した災害開始検出情報にしたがい、予約情報記憶部１１から予約情報１１ａの削除を行い、録画予約をキャンセルする（Ｓ３４）。同時に、録画予約管理部１は、予約情報記憶部１１から削除した予約情報１１ａをキャンセル情報としてキャンセル情報記憶部１２に記憶する（Ｓ３５）。ここで、キャンセル情報記憶部１２に記憶されたキャンセル情報は、必要に応じて、予約情報１１ａとして、予約情報記憶部１１に再度格納できるようになっている。そして、録画予約管理部１は、表示部４に、キャンセル結果の表示を要求する（Ｓ３６）。
【００２３】
最後に、表示部４は、表示画面４ａに録画予約がキャンセルされたことを表示し、処理を終了する（Ｓ３７）。なお、図２（ａ）は、表示部４の表示画面４ａに録画予約がキャンセルされたことを表示した画面例である。ユーザは、この表示を見て、録画予約がキャンセルされたことを認識する。
【００２４】
＜予約録画実行のフロー＞
予約録画を実行する流れについて、図４のフローチャートを参照しながら以下に説明する。
【００２５】
まず、録画予約管理部１は、予約情報１１ａから予約開始時刻を検出する（Ｓ４１）。次に、録画予約管理部１は、検出した予約開始時刻が、キャンセル情報記憶部１２に記憶されている予約情報１１ａに含まれる予約開始時刻に該当する否かを該当するか否かを判定する（Ｓ４２）。ここで、検出した予約開始時刻が予約情報１１ａに含まれる予約開始時刻に該当する場合、録画予約管理部１は、録画制御部６に予約情報１１ａを送らないので、録画制御部６は録画を開始しないで（Ｓ４６）、録画予約の実行を終了する。
【００２６】
Ｓ４２で、検出した予約開始時刻が予約情報１１ａに含まれる予約開始時刻に該当しない場合、録画予約管理部１は、録画制御部６に予約情報１１ａを送り、録画要求を行う（Ｓ４３）。そして、録画制御部６は、予約情報１１ａに合わせてワンセグ放送波受像部２を起動させて、ワンセグ放送波を受信して、放送番組を録画し（Ｓ４４）、録画予約の実行を終了する。
【００２７】
＜手動予約復帰のフロー＞
録画予約がキャンセルされた放送番組を手動で予約状態へと変更する手動予約復帰を実行する流れについて、図５のフローチャートを参照しながら以下に説明する。
【００２８】
まず、録画予約管理部１は、ユーザからの録画予約復帰の指示を受け付ける（Ｓ５１）。次に、録画予約管理部１は、録画予約復帰指示を受けて、キャンセルされた録画予約の確認を行うために、キャンセル情報記憶部１２に予約情報１１ａが存在するかを照会する（Ｓ５２）。ここで、予約情報１１ａが存在しない場合、キャンセルされた予約情報が存在しない旨を表示部１に表示して、処理を終了する。
【００２９】
一方、Ｓ５２において、予約情報１１ａが存在する場合、録画予約管理部１は表示画面４ａにキャンセル記憶情報部１１ａに記憶されている予約情報１１ａをキャンセルされた録画予約として表示する（Ｓ５３）。この場合、表示部４の表示画面４ａは、図２の（ｃ）または図２の（ｄ）に示すような画面が表示される。そして、表示部４は、図２の（ｃ）または図２の（ｄ）に示された表示画面４ａから、ユーザによって選択された予約情報１１ａを受け付ける（Ｓ５４）。この受付は、図２の（ｃ）または図２の（ｄ）の表示画面４ａに表示されている復帰ボタンまたは復帰選択ボタンをユーザがタッチすることにより行われる。
【００３０】
次に、表示部４は、Ｓ５４で受け付けた選択された予約情報１１ａを、録画予約管理部１に通知する（Ｓ５５）。最後に、録画予約管理部１は、選択された予約情報１１ａを、キャンセル情報記憶部１２から予約情報記憶部１１に戻して、録画予約がキャンセルされた状態から録画予約がされた状態へと復帰させて、処理を終了する（Ｓ５６）。
【００３１】
＜災害終了による予約復帰のフロー＞
災害終了時に予約情報１１ａを録画予約がキャンセルされた状態から録画予約がされた状態へと自動復帰させる流れについて、図６のフローチャートを参照しながら以下に説明する。
【００３２】
まず、メール受信部３１は、メールを受信する（Ｓ６１）。次に、災害開始／終了検出部３２は、メール受信部３１より取得したメールが災害終了を示す情報を含んだメールにあたるか否かを判定し、災害終了を検出する（Ｓ６２）。Ｓ６２で、災害終了を検出した場合、無線通信部３は、録画予約管理部１に災害終了を通知する（Ｓ６３）。
【００３３】
そして、録画予約管理部１は、無線通信部３からの災害終了通知を受けて、キャンセルされた録画予約の確認を行うために、キャンセル情報記憶部１２に予約情報１１ａが存在するか否かを判定する（Ｓ６４）。判定の結果、キャンセルされた予約情報１１ａが存在しない場合、キャンセルされた予約情報１１ａが存在しない旨を表示部４に表示して、処理を終了する。一方、Ｓ６４でキャンセルされた予約情報１１ａが存在する場合、録画予約管理部１はキャンセルされた予約情報１１ａを録画予約がキャンセルされた状態から録画予約がされた状態に復帰（キャンセル情報記憶部１２に格納された予約情報１１ａを予約情報記憶部１１に戻す処理）して、処理を終了する（Ｓ６５）。
【００３４】
また、災害終了時に、キャンセルされた録画予約が存在する場合、録画予約の復帰を促す画面を表示してもよい。図２の（ｅ）は、災害終了時に、キャンセルされた録画予約の復帰をユーザに促す画面例である。なお、図２の（ｂ）は、災害開始受信前に予約情報記憶部１１に格納されている予約情報の一覧を示している。
【００３５】
本実施形態では、本発明を実施するための最良の形態について説明したが、以下の実施形態２，３のように、処理を簡略化して実施するようにしてもよい。
【００３６】
〔実施形態２〕
本発明の他の実施形態について、以下の通り説明する。本実施形態では、前記実施形態１で説明したキャンセルした予約情報を復帰させる機能を省略して実行する携帯通信端末について説明する。
【００３７】
本実施形態では、前記実施形態１と携帯通信端末のブロック構成は同じであるが、上述したように、キャンセルした予約情報を復帰させる機能が省略されている。従って、前記実施形態１の録画キャンセル状態にある予約情報１１ａの手動復帰および、災害終了時に録画キャンセル状態にある予約情報１１ａの自動復帰を行う処理については実行しない。従って、本実施形態では、前記実施形態１の図３に示す処理のみが実行されることになる。
【００３８】
上記のような構成とすることで、キャンセルした予約情報を復帰させる処理を省略することができるので、前記実施形態１と比較した場合、携帯通信端末で実行される処理が少なくなる為、携帯通信端末の消費電力の削減が可能となる。
【００３９】
〔実施形態３〕
本発明の他の実施形態について、以下の通り説明する。本実施形態では、前記実施形態１で説明した予約情報をキャンセルしたことをユーザに通知する機能、キャンセルした予約情報を復帰させる機能を省略して実行する携帯通信端末について説明する。
【００４０】
本実施形態に係る携帯通信端末は、前記実施形態１の図１に示す録画予約管理部１のキャンセル情報記憶部１２を無くした構成となっている。本実施形態では、前記実施形態１における図３に示すフローチャートのＳ３５以降を省略した処理を実行するようになっている。
【００４１】
上記のような構成とすることで、ユーザに予約情報をキャンセルしたことを通知する処理、キャンセルした予約情報を復帰させる処理等を省略することができるので、前記実施形態１、２と比較した場合、携帯通信端末で実行される処理が少なくなる為、携帯通信端末の消費電力の大幅な削減が可能となる。
【００４２】
〔変形例〕
前記実施形態１〜３では、ワンセグ放送波を前提として説明を行っていたが、本発明はこれに限定されず、ワンセグ放送の代わりに、モバイル放送における放送番組の録画予約に対しても適用してもよい。なお、モバイル放送に対応する携帯通信端末では、録画予約した放送波を直接録画する機能と、蓄積予約した放送波を蓄積するために録画する機能との、何れか、もしくは両方を備えている。
【００４３】
図７は、録画予約した放送波を直接録画する機能と、蓄積予約した放送波を蓄積するために録画する機能との両方の機能を有する、モバイル放送に対応する携帯通信端末Ｂの概略ブロック図である。図７に示す携帯通信端末Ｂは、図１に示す携帯通信端末Ａの、録画予約管理部１に代えてモバイル放送予約管理部１０１、携帯通信端末Ａのワンセグ放送波受像部２に代えてモバイル放送波受像部１０２、無線通信部３に代えて無線通信部１０３、表示部４に代えて表示部１０４、入力手段５に代えて入力手段１０５を備えている。
【００４４】
上記モバイル放送予約管理部１０１は、録画予約情報１１１ａを管理するモバイル放送録画予約管理部１１１、蓄積予約情報１１２ａを管理するもモバイル放送蓄積予約管理部１１２を備えている。上記モバイル放送録画予約管理部１１１は、録画予約情報１１１ａを記憶する、モバイル放送録画予約情報管理部１１１１と、キャンセルされた録画予約情報１１１ａを記憶するモバイル放送録画キャンセル情報記憶部１１１２を備えている。上記モバイル放送蓄積予約管理部１１２は、蓄積予約情報１１２ａを記憶する、モバイル放送蓄積予約情報管理部１１２１と、キャンセルされた蓄積予約情報１１２ａを記憶するモバイル放送蓄積キャンセル情報記憶部１１２２を備えている。
【００４５】
上記モバイル放送録画予約情報管理部１１１、モバイル放送蓄積予約管理部１１２は、前記実施形態１の録画予約管理部１と同様に機能する。すなわち、ワンセグ放送の予約情報１１ａが、モバイル放送を直接録画する際の録画予約情報１１１ａと、モバイル放送を蓄積録画する際の蓄積予約情報１１２ａとに置き換わっただけであり、予約情報のキャンセル処理、復帰処理等は、上記モバイル放送録画予約情報管理部１１１、モバイル放送蓄積予約管理部１１２と、前記実施形態１の録画予約管理部１とで相違は無い。
【００４６】
また、上記モバイル放送波受像部１０２は、モバイル放送チューナー１２１、デコーダー１２２を備えている。さらに、上記無線通信部１０３は、メール受信部１３１、災害開始／終了検出部１３２を備えている。なお、上記構成の携帯通信端末Ｂにおける、無線通信部１０３、表示部１０４，入力手段１０５は、前記実施形態１の携帯通信端末Ａの無線通信部３、表示部４，入力手段５と同じである。
【００４７】
このように、本発明を、モバイル放送波に対応した場合、災害時において、録画予約のみのキャンセルではなく、蓄積予約のキャンセルも可能となる。
【００４８】
具体的には、上記構成の携帯通信端末Ｂは、災害情報を取得する災害情報受信部である無線通信部３と、予約録画機能を実行させるモバイル放送の録画予約情報１１１ａと、蓄積予約機能を実行させるモバイル放送の蓄積予約情報１１２ａとを管理する録画予約管理部（録画予約管理部１）を備えることにより、モバイル放送録画予約情報管理部１１１、モバイル放送蓄積予約管理部１１２は、災害情報受信部が災害情報を取得したとき、管理している録画予約情報または蓄積予約情報あるいはその両方を削除することができるので、簡素な構成で、災害開始時に予約録画機能または蓄積予約機能あるいはその両方を停止させることで、消費電力を抑える携帯通信端末を提供することができる。
【００４９】
〔ソフトウェアによる実現例〕
携帯通信端末Ａ、Ｂの録画予約管理部１、モバイル放送予約管理部１０１は、集積回路（ＩＣチップ）等に形成された論理回路（ハードウェア）によって実現してもよいし、ＣＰＵ（Central Processing Unit）を用いてソフトウェアによって実現してもよい。
【００５０】
後者の場合、携帯通信端末Ａ、Ｂの録画予約管理部１、モバイル放送予約管理部１０１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５１】
〔まとめ〕
本発明の態様１に係る携帯通信端末Ａは、予約録画機能を予約情報に応じて実行させる録画制御部６と、上記予約情報１１ａを格納し、格納している予約情報１１ａを上記録画制御部６に提供する録画予約管理部１と、災害情報を取得する災害情報取得部（無線通信部３）とを備え、上記録画予約管理部１は、上記災害情報取得部（無線通信部３）が取得した災害情報が災害発生を示す情報であるとき、格納している予約情報をキャンセルすることを特徴としている。
【００５２】
上記の構成によれば、録画予約管理部によって、災害発生を示す情報を取得したとき、管理している予約情報がキャンセルされることで、録画制御部は予約情報に応じた予約録画機能を実行させることができないことになる。つまり、災害発生時のような２次電池の充電を行うのが困難な状況において、ユーザが意図しないタイミングで予約録画機能が働くことがない。従って、ユーザが意図しないタイミングで予約録画機能が作動することに起因する消費電力を抑えることができ、携帯通信端末Ａの稼働時間を長くできる。
【００５３】
本発明の態様２に係る携帯通信端末Ａは、本発明の態様１において、上記録画予約管理部１が、上記録画制御部６へ提供する予約情報１１ａを格納する予約情報格納部１１を備え、上記災害情報取得部（無線通信部３）が取得した災害情報が災害発生を示す情報であるとき、上記予約情報格納部に格納された予約情報を削除することを特徴としている。
【００５４】
上記の構成によれば、予約情報のキャンセルを、予約情報を削除するだけという簡単な構成で実現でき、そして、録画制御部６による予約録画機能を実行させないようにすることができる。
【００５５】
本発明の態様３に係る携帯通信端末Ａは、本発明の態様１または２において、上記録画予約管理部１が、上記録画制御部６へ提供する予約情報１１ａを格納する予約情報格納部１１と、上記災害情報取得部（無線通信部３）が取得した災害情報が災害発生を示す情報であるとき、上記予約情報格納部１１に格納された予約情報１１ａを、キャンセル情報として格納するキャンセル情報格納部１２とを備えていることを特徴としている。
【００５６】
上記の構成によれば、予約情報１１ａが削除されず、別のキャンセル情報格納部１２にキャンセル情報として格納されるので、キャンセル情報格納部１２から予約情報１１ａを取り出して、録画制御部６に提供すれば、キャンセルされた録画予約を復帰させることが可能となる。
【００５７】
本発明の態様４に係る携帯通信端末Ａは、本発明の態様１〜３の何れか１つにおいて、上記記録画予約管理部１がキャンセルした予約情報を復帰させる予約情報復帰部（録画制御部６）を備えている。上記の構成によれば、一度キャンセルした予約情報を、復帰させることができる。例えば、以下のような態様が考えられる。
【００５８】
本発明の態様５に係る携帯通信端末Ａは、本発明の態様４において、ユーザの録画予約復帰の指示を受け付ける操作手段（表示部４，入力手段５）を備え、上記録画予約管理部１は、予約情報１１ａをキャンセルした状態で、上記操作手段（表示部4，入力手段５）によってユーザの録画予約復帰の指示を受け付けたとき、上記キャンセル情報格納部１２にキャンセル情報として格納された予約情報１１ａを上記予約情報格納部１１に格納することを特徴としている。
【００５９】
上記の構成によれば、キャンセルされた予約情報の復帰を、ユーザ指示により実現することができる。
【００６０】
本発明の態様６に係る携帯通信端末Ａは、本発明の態様４において、上記録画予約管理部１が、予約情報１１ａをキャンセルした状態で、上記災害情報取得部（無線通信部３）が取得した災害情報が災害終息を示す情報であるとき、上記キャンセル情報格納部１２にキャンセル情報として格納された予約情報１１ａを上記予約情報格納部１１に格納することを特徴としている。
【００６１】
上記の構成によれば、災害終了すれば、ユーザが意識しないで、キャンセルした録画予約が自動で復帰される。
【００６２】
本発明の態様７に係る携帯通信端末Ａは、本発明の態様１〜６の何れか１つにおいて、上記録画予約管理部１が予約情報１１ａをキャンセルしたことを、ユーザに通知する通知手段（表示部４）を備えていることを特徴としている。
【００６３】
上記の構成によれば、ユーザは、災害発生に際して、録画予約がキャンセルされたことを知ることができる。なお、通知手段としては、表示部４の他に、音による通知であってもよい。
【００６４】
本発明の態様８に係る録画予約管理方法は、電力源として２次電池を使用し、放送番組の予約録画機能を実行する携帯通信端末Ａにおける録画予約管理方法であって、災害情報として災害開始を示す情報を取得したとき、上記予約録画機能の実行を停止することを特徴としている。
【００６５】
上記の構成によれば、災害情報として災害開始を示す情報を取得したとき、上記予約録画機能の実行を停止することで、ユーザが意図しないタイミングで予約録画機能が作動することに起因する消費電力を抑えることができ、携帯通信端末Ａの稼働時間を長くできる。
【００６６】
本発明の各態様に係る携帯通信端末Ａは、コンピュータによって実現してもよく、この場合には、コンピュータを上記携帯通信端末Ａが備える各手段として動作させることにより上記携帯端末装置Ａをコンピュータにて実現させる録画予約管理制御プログラム、およびそれを記録したコンピュータ読み取り可能な記録媒体も、本発明の範疇に入る。
【００６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６８】
本発明は、電力源として２次電池を使用し、放送番組の予約録画機能を備えた通信端末、特にスマートフォン等の携帯通信端末において好適に利用することができる。
【符号の説明】
【００６９】
１      録画予約管理部
２      ワンセグ放送波受像部
３      無線通信部（災害情報取得部）
４      表示部（操作手段）
５      入力手段（操作手段）
６      録画制御部
１１    キャンセル情報記憶部
１１ａ  予約情報
３２    災害開始／終了検出部
Ａ      携帯通信端末（通信端末）
【図１】
2014123920.tif 000003
【図２】
2014123920.tif 000004
【図３】
2014123920.tif 000005
【図４】
2014123920.tif 000006
【図５】
2014123920.tif 000007
【図６】
2014123920.tif 000008
【図７】
2014123920.tif 000009